【手続補正書】
【提出日】平成21年4月21日(2009.4.21)
【手続補正１】
【補正対象書類名】特許請求の範囲
【補正対象項目名】全文
【補正方法】変更
【補正の内容】
【特許請求の範囲】
【請求項１】
入力された検索条件に基づいて所定の文書の集合より前記検索条件に適合する文書を検索する文書検索装置であって、
文書を格納し、ある語の集合に適合する文書を検索する機能を有する文書データベースと、
１つ以上の語又は文章で検索要求を行うための検索要求入力手段と、
前記文書データベースの検索結果を提示し、提示された検索結果の一部を選択可能な検索結果表示手段と、
検索結果表示手段で選択された文書をシード文書として用いて検索要求と関連度が高い語の集合を求める拡張語抽出手段と、
を備え、
前記検査得結果表示手段は、前記検索要求入力手段から検索要求が指定されたとき検索要求に含まれる語の集合を用いた検索結果を表示し、前記検索結果表示手段から検索結果の一部を選択した場合は前記拡張語抽出手段で求められた関連度の高い語を検索要求に含まれる語の集合に加えて検索した結果を表示するとともに、
前記検索結果表示手段は、少なくとも２つの座標を持つ空間を表現する座標平面表示手段を含み、そのうち１つの座標は検索要求への適合度を表す数値で、他の座標は文書の属性から計算される数値であり、検索結果の一部又は全部に対して計算される座標の値に対応した座標平面表示手段上の位置に所定のシンボルを表示することを特徴とする文書検索装置。
【請求項２】
前記シンボルに代えて文書情報の一部を表示することを特徴とする請求項１記載の文書検索装置。
【請求項３】
前記検索結果表示手段においてシード文書を選択する際、前記座標平面表示手段上で文書に対応して提示されているシンボルにポインティングデバイスのカーソルを位置させたとき、前記シンボルに対応する文書の概要を表す情報を表示することを特徴とする請求項１又は２に記載の文書検索装置。
【請求項４】
前記座標平面表示手段上で文書に対応して提示されている１以上のシンボルを囲む領域をポインティングデバイスで指定し、シード文書を選択することを特徴とする請求項１又は２に記載の文書検索装置。
【請求項５】
前記座標平面表示手段上で文書に対応して提示されている所望のシンボルを前記座標平面表示手段上で移動させることを特徴とする請求項１又は２に記載の文書検索装置。
【請求項６】
前記座標平面表示手段で移動させた後のシンボルに対してシード文書の選択を行うことを特徴とする請求項５記載の文書検索装置。
【請求項７】
前記拡張語抽出手段は、シード文書として選択された文書のそれぞれに対し、対応する所定のシンボルの前記座標平面表示手段上での位置から算定される適合度の座標の値を選択されたシード文書の重みとして用い、適合度に対応する座標の値が大きい文書に含まれる単語ほど関連度が高いものとして抽出することを特徴とする請求項１又は２に記載の文書検索装置。
【請求項８】
前記適合度で表される座標の値は２つ以上のグループに分けられ、前記拡張語抽出手段がシード文書の重みとして用いる値はグループごとに同じであることを特徴とする請求項７記載の文書検索装置。
【請求項９】
前記座標平面表示手段の表示空間が２次元の直交座標又は２次元の極座標で表される空間であることを特徴とする請求項１ないし８のいずれか１項に記載の文書検索装置。
【請求項１０】
前記適合度を表す数値以外の座標軸を少なくとも２つの候補から選択し、所定のシンボルが提示されているときに座標軸の選択を切り替えると、前記座標平面表示手段は切り替えた座標軸の値にしたがって所定のシンボルを新たに配置し直すことを特徴とする請求項１ないし９のいずれかに１項に記載に文書検索装置。
【請求項１１】
入力された検索条件に基づいて所定の文書の集合より前記検索条件に適合する文書を、コンピュータを用いて検索する文書検索方法であって
１つ以上の語又は文章で検索要求が行われたときに、文書を格納し、ある語の集合に適合する文書を検索する文書データベースから検索対象の全ての文書又は所定数の文書を検索して文書の識別子、適合度及び属性値を検索結果として取得する第１の工程と、
前記文書データベースの検索結果を提示する第２の工程と、
選択すべき文書がある場合には、前記第２の工程で提示された検索結果から一部の文書を選択する第３の工程と、
前記第２の工程で提示され、又は前記第３の工程で選択された文書をシード文書として用いて検索要求と関連度が高い語の集合を求める第４の工程と、
前記第１の工程で検索要求があったとき検索要求に含まれる語の集合を用いた検索結果を表示し、前記第３の工程で文書データベースの検索結果の一部を選択したときは、前記第４の工程で求められた関連度の高い語を検索要求に含まれる語の集合に加えて検索した結果を表示する第５の工程と、
を備え、
前記第５の工程では、少なくとも２つの座標を持つ空間を設定し、そのうち１つの座標は検索要求への適合度を表す数値で、他の座標は文書の属性から計算される数値であり、検索結果の一部又は全部に対して計算される座標の値に対応した座標平面表示手段上の位置に所定のシンボルを表示することを特徴とする文書検索方法。
【請求項１２】
入力された検索条件に基づいて所定の文書の集合より前記検索条件に適合する文書の検
索をコンピュータに実行させる文書検索プログラムであって、
１つ以上の語又は文章で検索要求が行われたとき、文書を格納し、ある語の集合に適合
する文書を検索する文書データベースから検索対象の全ての文書又は所定数の文書を検索
して文書の識別子、適合度及び属性値を検索結果として取得する第１の手順と、
前記文書データベースの検索結果を提示する第２の手順と、
選択すべき文書がある場合には、前記第２の手順で提示された検索結果から一部の文書
を選択する第３の手順と、
前記第２の手順で提示され、又は前記第３の手順で選択された文書をシード文書として
用いて検索要求と関連度が高い語の集合を求める第４の手順と、
前記第１の手順で検索要求があったとき検索要求に含まれる語の集合を用いた検索結果
を表示し、前記第３の手順で文書データベースの検索結果の一部を選択したときは、前記
第４の手順で求められた関連度の高い語を検索要求に含まれる語の集合に加えて検索した
結果を表示する第５の手順と、
を備え、
前記第５の手順では、少なくとも２つの座標を持つ空間を設定し、そのうち１つの座標
は検索要求への適合度を表す数値で、他の座標は文書の属性から計算される数値であり、
検索結果の一部又は全部に対して計算される座標の値に対応した座標平面表示手段上の位
置に所定のシンボルを表示することを特徴とする文書検索プログラム。
【請求項１３】
前記第１の手順が、前記取得した適合度と属性値のそれぞれに対応する数値を取得する
手順を含むことを特徴とする請求項１２記載の文書検索プログラム。
【請求項１４】
前記第５の手順が、前記検索結果ごとの数値の組の集合を得る第６の手順と、
前記数値の組の各要素について集合内の最大値と最小値とを調べ、数値の組の各要素に
ついて対応する座標の位置を求める第７の手順と、
前記求められた座標の位置を画面上に射影してシンボルとして表示する第８の手順と、
を備えていることを特徴とする請求項１２記載の文書検索プログラム。
【請求項１５】
前記シンボルが文書情報の一部であること特徴とする請求項１４記載の文書検索プログ
ラム。
【請求項１６】
前記第５の手順が、ポインティングデバイスのカーソルを前記画面上の表示範囲内の任
意の点に位置させたとき、前記カーソルの位置する点から所定の範囲内にシンボルがある
か否かを判定する第９の手順と、
所定の範囲内にシンボルがあったとき、ポイントした点に最も近いシンボルに対応する
識別子を用いて前記文書データベースから文書の概要を表す情報を得る第１０の手順と、
前記カーソルの位置する点から所定の位置に枠を表示し、枠内に文書データベースから
得た文書の概要を表す情報を表示する第１１の手順と、
をさらに備えていることを特徴とする請求項１２記載の文書検索プログラム。
【請求項１７】
前記第５の手順が、前記画面上の表示範囲内で所望の領域を設定する第１２の手順と、
前記領域内に前記シンボルがあるか否かを判定する第１３の手順と、
前記領域内に前記シンボルがあったとき、前記シンボルに対応する文書を選択する第１
４の手順と、
を備えていることを特徴とする請求項１２記載の文書検索プログラム。
【請求項１８】
前記第５の手順が、ポインティングデバイスのカーソルによって前記画面上の表示範囲
内の点が指示されたとき、前記カーソルの位置する点から所定の範囲内にシンボルがある
か否かを判定する第１５の手順と、
前記シンボルの移動後の位置を指定する第１６の手順と、
前記シンボルの表示位置を指定された移動後の位置に変更する第１７の手順と、
前記移動後のシンボルの表示位置に基づいて表示画面上の位置と文書の識別子との対応
を変更する第１８の手順と、
を備えていることを特徴とする請求項１２記載の文書検索プログラム。
【請求項１９】
前記第５の手順が、前記適合度を表す数値以外の座標軸を少なくとも２つの候補から選
択する第１９の手順と、
文書の識別子を用いて座標軸として選択された属性値を文書データベースから取得する
第２０の手順と、
前記属性値に対応する座標軸上の数値を取得する第２１の手順と、
前記適合度及び前記属性値に対応する前記数値に基づいて前記画面上に前記文書のシン
ボルを表示させる第２２の手順と、
をさらに備えていることを特徴とする請求項１２記載の文書検索プログラム。
【請求項２０】
請求項１２ないし１９のいずれか１項に記載の文書検索プログラムを記録したコンピュ
ータで読み取り可能な記録媒体。
【手続補正２】
【補正対象書類名】明細書
【補正対象項目名】００１７
【補正方法】変更
【補正の内容】
【００１７】
前記課題を解決するため、第１の手段は、入力された検索条件に基づいて所定の文書の集合より前記検索条件に適合する文書を検索する文書検索装置であって、文書を格納し、ある語の集合に適合する文書を検索する機能を有する文書データベースと、１つ以上の語又は文章で検索要求を行うための検索要求入力手段と、前記文書データベースの検索結果を提示し、提示された検索結果の一部を選択可能な検索結果表示手段と、検索結果表示手段で選択された文書をシード文書として用いて検索要求と関連度が高い語の集合を求める拡張語抽出手段と、を備え、前記検査得結果表示手段は、前記検索要求入力手段から検索要求が指定されたとき検索要求に含まれる語の集合を用いた検索結果を表示し、前記検索結果表示手段から検索結果の一部を選択した場合は前記拡張語抽出手段で求められた関連度の高い語を検索要求に含まれる語の集合に加えて検索した結果を表示するとともに、前記検索結果表示手段は、少なくとも２つの座標を持つ空間を表現する座標平面表示手段を含み、そのうち１つの座標は検索要求への適合度を表す数値で、他の座標は文書の属性から計算される数値であり、検索結果の一部又は全部に対して計算される座標の値に対応した座標平面表示手段上の位置に所定のシンボルを表示することを特徴とする。
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】変更
【補正の内容】
【００１９】
第２の手段は、第１の手段において、前記シンボルに代えて文書情報の一部を表示することを特徴とする。
【手続補正５】
【補正対象書類名】明細書
【補正対象項目名】００２０
【補正方法】変更
【補正の内容】
【００２０】
第３の手段は、第１又は第２の手段において、前記検索結果表示手段においてシード文書を選択する際、前記座標平面表示手段上で文書に対応して提示されているシンボルにポインティングデバイスのカーソルを位置させたとき、前記シンボルに対応する文書の概要を表す情報を表示することを特徴とする。
【手続補正６】
【補正対象書類名】明細書
【補正対象項目名】００２１
【補正方法】変更
【補正の内容】
【００２１】
第４の手段は、第１又は第２の手段において、前記座標平面表示手段上で文書に対応して提示されている１以上のシンボルを囲む領域をポインティングデバイスで指定し、シード文書を選択することを特徴とする。
【手続補正７】
【補正対象書類名】明細書
【補正対象項目名】００２２
【補正方法】変更
【補正の内容】
【００２２】
第５の手段は、第１又は第２の手段において、前記座標平面表示手段上で文書に対応して提示されている所望のシンボルを前記座標平面表示手段上で移動させることを特徴とする。
【手続補正８】
【補正対象書類名】明細書
【補正対象項目名】００２３
【補正方法】変更
【補正の内容】
【００２３】
第６の手段は、第５の手段において、前記座標平面表示手段で移動させた後のシンボルに対してシード文書の選択を行うことを特徴とする。
【手続補正９】
【補正対象書類名】明細書
【補正対象項目名】００２４
【補正方法】変更
【補正の内容】
【００２４】
第７の手段は、第１又は第２の手段において、前記拡張語抽出手段は、シード文書として選択された文書のそれぞれに対し、対応する所定のシンボルの前記座標平面表示手段上での位置から算定される適合度の座標の値を選択されたシード文書の重みとして用い、適合度に対応する座標の値が大きい文書に含まれる単語ほど関連度が高いものとして抽出することを特徴とする。
【手続補正１０】
【補正対象書類名】明細書
【補正対象項目名】００２５
【補正方法】変更
【補正の内容】
【００２５】
第８の手段は、第７の手段において、前記適合度で表される座標の値は２つ以上のグループに分けられ、前記拡張語抽出手段がシード文書の重みとして用いる値はグループごとに同じであることを特徴とする。
【手続補正１１】
【補正対象書類名】明細書
【補正対象項目名】００２６
【補正方法】変更
【補正の内容】
【００２６】
第９の手段は、第１ないし第８のいずれかの手段において、前記座標平面表示手段の表示空間が２次元の直交座標又は２次元の極座標で表される空間であることを特徴とする。
【手続補正１２】
【補正対象書類名】明細書
【補正対象項目名】００２７
【補正方法】変更
【補正の内容】
【００２７】
第１０の手段は、第１ないし第９のいずれかの手段において、前記適合度を表す数値以外の座標軸を少なくとも２つの候補から選択し、所定のシンボルが提示されているときに座標軸の選択を切り替えると、前記座標平面表示手段は切り替えた座標軸の値にしたがって所定のシンボルを新たに配置し直すことを特徴とする。
【手続補正１３】
【補正対象書類名】明細書
【補正対象項目名】００２８
【補正方法】変更
【補正の内容】
【００２８】
第１１の手段は、入力された検索条件に基づいて所定の文書の集合より前記検索条件に適合する文書を、コンピュータを用いて検索する文書検索方法であって  １つ以上の語又は文章で検索要求が行われたときに、文書を格納し、ある語の集合に適合する文書を検索する文書データベースから検索対象の全ての文書又は所定数の文書を検索して文書の識別子、適合度及び属性値を検索結果として取得する第１の工程と、前記文書データベースの検索結果を提示する第２の工程と、選択すべき文書がある場合には、前記第２の工程で提示された検索結果から一部の文書を選択する第３の工程と、前記第２の工程で提示され、又は前記第３の工程で選択された文書をシード文書として用いて検索要求と関連度が高い語の集合を求める第４の工程と、前記第１の工程で検索要求があったとき検索要求に含まれる語の集合を用いた検索結果を表示し、前記第３の工程で文書データベースの検索結果の一部を選択したときは、前記第４の工程で求められた関連度の高い語を検索要求に含まれる語の集合に加えて検索した結果を表示する第５の工程と、を備え、前記第５の工程では、少なくとも２つの座標を持つ空間を設定し、そのうち１つの座標は検索要求への適合度を表す数値で、他の座標は文書の属性から計算される数値であり、検索結果の一部又は全部に対して計算される座標の値に対応した座標平面表示手段上の位置に所定のシンボルを表示することを特徴とする。
【手続補正１４】
【補正対象書類名】明細書
【補正対象項目名】００２９
【補正方法】削除
【補正の内容】
【手続補正１５】
【補正対象書類名】明細書
【補正対象項目名】００３０
【補正方法】変更
【補正の内容】
【００３０】
第１２の手段は、入力された検索条件に基づいて所定の文書の集合より前記検索条件に
適合する文書の検索をコンピュータに実行させる文書検索プログラムであって、１つ以上
の語又は文章で検索要求が行われたとき、文書を格納し、ある語の集合に適合する文書を
検索する文書データベースから検索対象の全ての文書又は所定数の文書を検索して文書の
識別子、適合度及び属性値を検索結果として取得する第１の手順と、前記文書データベー
スの検索結果を提示する第２の手順と、選択すべき文書がある場合には、前記第２の手順
で提示された検索結果から一部の文書を選択する第３の手順と、前記第２の手順で提示さ
れ、又は前記第３の手順で選択された文書をシード文書として用いて検索要求と関連度が
高い語の集合を求める第４の手順と、前記第１の手順で検索要求があったとき検索要求に
含まれる語の集合を用いた検索結果を表示し、前記第３の手順で文書データベースの検索
結果の一部を選択したときは、前記第４の手順で求められた関連度の高い語を検索要求に
含まれる語の集合に加えて検索した結果を表示する第５の手順と、を備え、前記第５の手順では、少なくとも２つの座標を持つ空間を設定し、そのうち１つの座標は検索要求への適合度を表す数値で、他の座標は文書の属性から計算される数値であり、検索結果の一部又は全部に対して計算される座標の値に対応した座標平面表示手段上の位置に所定のシンボルを表示することを特徴とする。
【手続補正１６】
【補正対象書類名】明細書
【補正対象項目名】００３１
【補正方法】削除
【補正の内容】
【手続補正１７】
【補正対象書類名】明細書
【補正対象項目名】００３２
【補正方法】変更
【補正の内容】
【００３２】
第１３の手段は、第１２の手段において、前記第１の手順が前記取得した適合度と属性値のそれぞれに対応する数値を取得する手順を含むことを特徴とする。
【手続補正１８】
【補正対象書類名】明細書
【補正対象項目名】００３３
【補正方法】変更
【補正の内容】
【００３３】
第１４の手段は、第１２の手段において、前記第５の手順が、前記検索結果ごとの数値の組の集合を得る第６の手順と、前記数値の組の各要素について集合内の最大値と最小値とを調べ、数値の組の各要素について対応する座標の位置を求める第７の手順と、前記求められた座標の位置を画面上に射影してシンボルとして表示する第８の手順と、を備えていることを特徴とする。
【手続補正１９】
【補正対象書類名】明細書
【補正対象項目名】００３４
【補正方法】変更
【補正の内容】
【００３４】
第１５の手段は、第１４の手段において、前記シンボルが文書情報の一部であること特徴とする。
【手続補正２０】
【補正対象書類名】明細書
【補正対象項目名】００３５
【補正方法】変更
【補正の内容】
【００３５】
第１６の手段は、第１２の手段において、前記第５の手順が、ポインティングデバイスのカーソルを前記画面上の表示範囲内の任意の点に位置させたとき、前記カーソルの位置する点から所定の範囲内にシンボルがあるか否かを判定する第９の手順と、所定の範囲内にシンボルがあったとき、ポイントした点に最も近いシンボルに対応する識別子を用いて前記文書データベースから文書の概要を表す情報を得る第１０の手順と、前記カーソルの位置する点から所定の位置に枠を表示し、枠内に文書データベースから得た文書の概要を表す情報を表示する第１１の手順と、をさらに備えていることを特徴とする。
【手続補正２１】
【補正対象書類名】明細書
【補正対象項目名】００３６
【補正方法】変更
【補正の内容】
【００３６】
第１７の手段は、第１２の手段おいて、前記第５の手順が、前記画面上の表示範囲内で所望の領域を設定する第１２の手順と、前記領域内に前記シンボルがあるか否かを判定する第１３の手順と、前記領域内に前記シンボルがあったとき、前記シンボルに対応する文書を選択する第１４の手順と、を備えていることを特徴とする。
【手続補正２２】
【補正対象書類名】明細書
【補正対象項目名】００３７
【補正方法】変更
【補正の内容】
【００３７】
第１８の手段は、第１２の手段において、前記第５の手順が、ポインティングデバイスのカーソルによって前記画面上の表示範囲内の点が指示されたとき、前記カーソルの位置する点から所定の範囲内にシンボルがあるか否かを判定する第１５の手順と、前記シンボルの移動後の位置を指定する第１６の手順と、前記シンボルの表示位置を指定された移動後の位置に変更する第１７の手順と、前記移動後のシンボルの表示位置に基づいて表示画面上の位置と文書の識別子との対応を変更する第１８の手順と、を備えていることを特徴とする。
【手続補正２３】
【補正対象書類名】明細書
【補正対象項目名】００３８
【補正方法】変更
【補正の内容】
【００３８】
第１９の手段は、第１２の手段において、前記第５の手順が、前記適合度を表す数値以外の座標軸を少なくとも２つの候補から選択する第１９の手順と、文書の識別子を用いて座標軸として選択された属性値を文書データベースから取得する第２０の手順と、前記属性値に対応する座標軸上の数値を取得する第２１の手順と、前記適合度及び前記属性値に対応する前記数値に基づいて前記画面上に前記文書のシンボルを表示させる第２２の手順と、をさらに備えていることを特徴とする。
【手続補正２４】
【補正対象書類名】明細書
【補正対象項目名】００３９
【補正方法】変更
【補正の内容】
【００３９】
第２０の手段は、第１２〜１９のいずれか１項に記載の文書検索プログラムをコンピュータで読み取り可能な記録媒体に記録したことを特徴とする。